(57)【要約】【課題】ＰＣ形態とタブレット形態との容易な使い分けを実現するとともに、小さなフットプリントでいずれの形態でも安定したタッチパネル操作ができ、省スペース化が可能である情報処理装置を提供する。【解決手段】情報処理を実行する情報処理部を収納し、最大の面が設置面と平行になるよう前記設置面に設置される略直方体の本体筐体２と、情報処理部の情報処理結果を表示する表示部と表示部に重畳して取り付けられるとともにタッチ入力を受け付けて情報処理部に座標情報を出力するタッチパネル３とを有する表示部筺体４と、を有し、表示部筐体４は、本体筺体２の前面上端を軸として回動可能に取り付けられ、本体筐体２に対して立ち上がった状態で表示部が前面を向く第１の形態と本体筐体２の上面に平行に重なった状態で表示部が上面を向く第２の形態とを取ることができる。【選択図】図２
2016170540.tif 000002
【特許請求の範囲】
【請求項１】
情報処理を実行する情報処理部を収納し、最大の面が設置面と平行になるよう前記設置面に設置される略直方体の本体筐体と、
前記情報処理部の情報処理結果を表示する表示部と前記表示部に重畳して取り付けられるとともにタッチ入力を受け付けて前記情報処理部に座標情報を出力するタッチパネルとを有する表示部筺体と、を有し、
前記表示部筐体は、前記本体筺体の前面上端を軸として回動可能に取り付けられ、前記本体筐体に対して立ち上がった状態で前記表示部が前面を向く第１の形態と前記本体筐体の上面に平行に重なった状態で前記表示部が上面を向く第２の形態とを取ることができることを特徴とする情報処理装置。
【請求項２】
前記本体筺体の奥行きは、前記表示部筺体の高さより小さいことを特徴とする請求項１記載の情報処理装置。
【請求項３】
前記本体筺体の奥行きは、前記表示部筺体の高さの１／２〜１倍であることを特徴とする請求項１または２記載の情報処理装置。
【請求項４】
前記表示部筺体は、前記本体筺体に対する角度が最大８０度であることを特徴とする請求項１〜３のいずれか１項に記載の情報処理装置。
【請求項５】
前記本体筺体は、水平な状態でキーボードが収納されるキーボード収納部を有することを特徴とする請求項１〜４のいずれか１項に記載の情報処理装置。
【発明の詳細な説明】
【技術分野】
【０００１】
本発明は、タッチパネルを備えた情報処理装置に関する。
【背景技術】
【０００２】
近年、タッチパネルを備えたパーソナルコンピュータ（ＰＣ）が普及している。タッチパネルは、表示画面の表面に装着される。据え置き型のＰＣは、表示画面がタッチパネルとして使用される時、手の指で指圧されるので、倒れないように背面に設置された支柱または後脚で本体の重量を支えている。
【０００３】
また、特許文献１には、タブレットＰＣが、ＰＣ使用モードでは、通常のノートＰＣとして、入力部による操作および指示体によるタッチパネルの操作で使用することができる技術が開示されている。
【０００４】
さらに、連結部を回転させて、本体側筐体の上に表示部側筐体を重ねるように折り畳み、表示部が表を向くようにすれば、タブレット使用モードとなる。タブレット使用モードでは、タブレットＰＣを手で持って使用することが可能となっており、指等の指示体によるタッチパネルの操作で、入力部による操作と同じように使用することが可能となっている。
【０００５】
また、特許文献２には、タッチパネルをヒンジから倒して水平操作を可能にする表示装置が開示されている。
【先行技術文献】
【特許文献】
【０００６】
【特許文献１】特許第５１８４４６３号公報
【特許文献２】特開２０１１−２３２５４８号公報
【発明の概要】
【発明が解決しようとする課題】
【０００７】
しかし、従来の据え置き型のＰＣでは重量があるので持ち運びが困難であり、ＰＣを設置するために広いスペースを必要とするという問題があった。
【０００８】
また、特許文献１に開示された技術では、通常のノートＰＣの状態で、タッチパネルの操作で使用すると画面や本体が動いてしまうという問題があった。また、連結部を回転させて、本体側筐体の上に表示部側筐体を重ねるように折り畳み、表示部が表を向くようにする操作は手間がかかってしまうという問題があった。
【０００９】
さらに、特許文献２に開示された技術では、表示装置をキーボード操作できることが記載されているが、台座にキーボードを外付けするので、省スペース化が可能な形状ではない。
【００１０】
本発明は、前記課題を解決するためのものであり、その目的とするところは、ＰＣ形態とタブレット形態との容易な使い分けを実現するとともに、小さなフットプリントでいずれの形態でも安定したタッチパネル操作ができ、省スペース化が可能である情報処理装置を提供することにある。
【課題を解決するための手段】
【００１１】
かかる目的を達成するために、本発明は、以下の特徴を有する。
【００１２】
本発明に係る情報処理装置は、情報処理を実行する情報処理部を収納し、最大の面が設置面と平行になるよう前記設置面に設置される略直方体の本体筐体と、前記情報処理部の情報処理結果を表示する表示部と前記表示部に重畳して取り付けられるとともにタッチ入力を受け付けて前記情報処理部に座標情報を出力するタッチパネルとを有する表示部筺体と、を有し、前記表示部筐体は、前記本体筺体の前面上端を軸として回動可能に取り付けられ、前記本体筐体に対して立ち上がった状態で前記表示部が前面を向く第１の形態と前記本体筐体の上面に平行に重なった状態で前記表示部が上面を向く第２の形態とを取ることができることを特徴とする。
【発明の効果】
【００１３】
本発明によれば、ＰＣ形態とタブレット形態との容易な使い分けを実現するとともに、小さなフットプリントでいずれの形態でも安定したタッチパネル操作ができ、省スペース化が可能である。
【図面の簡単な説明】
【００１４】
【図１】本実施形態に係る情報処理装置を示す正面図である。
【図２】本実施形態に係る情報処理装置を示す側面図である。
【図３】本実施形態に係る本体筐体のＣＤ／ＤＶＤドライブ側を示す側面図である。
【図４】本実施形態に係る情報処理装置のキーボードを示す上面図である。
【発明を実施するための形態】
【００１５】
以下、本実施形態について図面により詳細に説明する。
【００１６】
図１は、本実施形態に係る情報処理装置１を示す正面図である。情報処理装置１は、情報処理を実行する情報処理部が収納される本体筐体２と、情報処理部の情報処理結果を表示する表示部と表示部に重畳して取り付けられるとともにタッチ入力を受け付けて情報処理部に座標情報を出力するタッチパネル３を備える表示部筐体４とを有している。
【００１７】
図２は、本実施形態に係る情報処理装置１を示す側面図である。本体筐体２は略直方体であり、奥行きより横幅が長い形状である。また、本体筐体２の上面と下面とが設置面と平行になるように、本体筐体２は設置面に設置される。
表示部筐体４は長方形であり、縦幅より横幅が長い形状である。なお、表示部筐体４の形状は本実施形態に限定されず、他の形状であってもよい。
【００１８】
本体筐体２と表示部筐体４とは、本体筐体２の前面上端においてヒンジ５で取り付けられ、表示部筐体４は本体筺体２の前面上端を軸として回動可能である。ヒンジ５は、２箇所に設置されているが、２箇所以上設置されていてもよい。
【００１９】
表示部筐体４は、本体筐体２に対して図示した曲線の矢印方向に開閉することができる。表示部筐体４が設置面に対して立ち上がったＰＣ形態と、表示部筐体４が設置面に対して略水平なタブレット形態とを取ることができる。
【００２０】
図２（ａ）に示すように、表示部筐体４を最大に開いた状態では、表示部筐体４は本体筐体２に対して８０度の鋭角に傾いている。表示部筐体４は８０度で止まるようにしたのは、ＰＣの転倒防止のためである。表示部筐体４の表示部が前面を向いているので、ディスプレイタッチ方向は図示した直線の矢印方向である。
なお、表示部筐体４が本体筐体２に対して垂直や鈍角の位置に移動できるように設計変更することは可能である。
【００２１】
図２（ｂ）に示すように、表示部筐体４を本体筐体２に対して閉じた状態では、表示部筐体４の裏面と本体筐体２の上面とが接触しているので、表示部が上面を向いている。本体筐体２の奥行は、表示部筐体４の高さの１／２〜１倍であり、好適には２／３である。
【００２２】
表示部筐体４を本体筐体２の方向に折り畳むだけであり、ＰＣ形態から容易にタブレット形態にすることができる。また、タブレット形態では、タブレットとして使用し易く、持ち運びが容易である。
【００２３】
図３は、本実施形態に係る本体筐体２のＣＤ／ＤＶＤドライブ９側を示す側面図である。本体筐体２のキーボード収納部の上側には、一方に電子回路の基板上にＣＰＵやＨＤＤ等が搭載され、他方にＣＤ／ＤＶＤドライブ９が設置されている。ＣＤ／ＤＶＤの取り出し口は、本体筐体２の側面を開閉することができる。
図２に示すように、本体筐体２の基板が設置されている側には、本体筐体２の側面にＵＳＢメモリ挿入口７やカード挿入口８等が設けられている。
【００２４】
図４は、本実施形態に係る情報処理装置１のキーボード１１を示す上面図である。情報処理装置１は、タッチパネルによる入力だけでなく、キーボード１１よる入力も可能である。
【００２５】
キーボード１１は薄い板状であり、本体筐体２の底面付近にキーボード１１を収納することができる。図１に示すように、本体筐体２の正面の下側にキーボード１１を挿入する挿入口６が設置されている。キーボード１１を使用しない時は、キーボード１１を本体筐体２に収納することができるので、ＰＣの省スペース化が可能である。
【００２６】
キーボード１１は、キーボードパワーボタン１２とＢｌｕｅｔｏｏｔｈ（登録商標）接続ボタン１３とを有している。キーボード１１は使用する時に本体筐体２の後部に設置されたスイッチを引くことにより、本体筐体２から引き出され、Ｂｌｕｅｔｏｏｔｈ接続される。
【００２７】
本実施形態によれば、ＰＣ形態とタブレット形態との容易な使い分けを実現するとともに、小さなフットプリントでいずれの形態でも安定したタッチパネル操作ができ、省スペース化が可能である。
【００２８】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００２９】
１    情報処理装置
２    本体筐体
３    タッチパネル
４    表示部筐体
５    ヒンジ
６    挿入口
１１    キーボード
【図１】
2016170540.tif 000003
【図２】
2016170540.tif 000004
【図３】
2016170540.tif 000005
【図４】
2016170540.tif 000006